(57)【要約】      （修正有）【課題】電気ケーブルコネクタ突き合わせ接合嵌合構造を提供する。【解決手段】電気ケーブルコネクタ突き合わせ接合嵌合構造は、雄端コネクタ１と、雌端コネクタ２と、嵌合部材３と、を含み、雄端コネクタは、雄端本体１０を有し、雄端本体１０は、雄端突き合わせ接合部１１を設け、雄端突き合わせ接合部外周に自由に回転可能なスレッドスリーブを環設し、雌端コネクタが雌端本体２０を有し、雌端本体２０に雌端突き合わせ接合部２１を設け、且つ雌端突き合わせ接合部内２１に雄端突き合わせ接合部１１を挿入させる挿入空間を設ける。さらに、スレッドスリーブは、雌端コネクタ突き合わせ接合部２１と互いに螺合し、嵌合部材３は、雌端コネクタ２外側に設ける回転軸部３０、及び回転軸部３０上に軸回転可能に設けるフックアーム３１を含み、且つフックアーム３１が雄端本体１０に向かってスレッドスリーブ上に跨り、雄端コネクタ１と互いに嵌合する。【選択図】図４
0003176159.tif 000002
【実用新案登録請求の範囲】
【請求項１】
雄端本体を有し、該雄端本体は、雄端突き合わせ接合部を設け、該雄端突き合わせ接合部外周に自由に回転可能なスレッドスリーブを環設する雄端コネクタと、
雌端本体を有し、該雌端本体に雌端突き合わせ接合部を設け、且つ該雌端突き合わせ接合部内に該雄端突き合わせ接合部を挿入させる挿入空間を有し、該スレッドスリーブは、該雌端コネクタ突き合わせ接合部と互いに螺合する雌端コネクタと、
該雌端コネクタ外側に設ける回転軸部、及び該回転軸部上に軸回転可能に設けるフックアームを含み、且つ該フックアームが該雄端本体に向かって該スレッドスリーブ上に跨り、該雄端コネクタと互いに嵌合する嵌合部材と、
を含む電気ケーブルコネクタ突き合わせ接合嵌合構造。
【請求項２】
前記スレッドスリーブ外壁面上に複数のリブを突設する請求項１に記載の電気ケーブルコネクタ突き合わせ接合嵌合構造。
【請求項３】
前記リブは、軸方向に沿って該スレッドスリーブ外壁面上に間隔を置いて環状配列される請求項２に記載の電気ケーブルコネクタ突き合わせ接合嵌合構造。
【請求項４】
前記フックアームが該スレッドスリーブ外壁面上の任意の２つの隣り合う前記リブ間に跨る請求項３に記載の電気ケーブルコネクタ突き合わせ接合嵌合構造。
【請求項５】
前記嵌合部材は、複数設けられる請求項１に記載の電気ケーブルコネクタ突き合わせ接合嵌合構造。
【請求項６】
前記フックアームは、更に該雄端コネクタのスレッドスリーブ上に嵌合する請求項１に記載の電気ケーブルコネクタ突き合わせ接合嵌合構造。
【請求項７】
前記スレッドスリーブ上に環溝を凹設し、該フックアームが該環溝に嵌合する請求項６に記載の電気ケーブルコネクタ突き合わせ接合嵌合構造。
【請求項８】
前記フックアームは、ロッド状を呈し、その一端は、該回転軸部と嵌合して軸回転可能に設置される回転軸端を有し、且つ該フックアーム他端は、フック部を有し、該雄端コネクタ上に嵌合する請求項１に記載の電気ケーブルコネクタ突き合わせ接合嵌合構造。
【請求項９】
前記回転軸端及び該回転軸部は、回転軸部材により貫通され手軸回転可能に設置される請求項８に記載の電気ケーブルコネクタ突き合わせ接合嵌合構造。
【請求項１０】
前記フックアームが「コ」字型を呈し、且つその前記「コ」字型を呈する二側末端が該回転軸部上に軸回転可能に設置され、前記「コ」字型を呈する上端は、弾性支持部を有し、弾性により該雄端コネクタ上に嵌合する請求項１に記載の電気ケーブルコネクタ突き合わせ接合嵌合構造。
【考案の詳細な説明】
【技術分野】
【０００１】
本考案は、コネクタに関し、特に、電気ケーブルコネクタ突き合わせ接合嵌合構造に関する。
【背景技術】
【０００２】
従来の電気ケーブルコネクタは、主に雄、雌コネクタを互いに突き合わせ接合後、接続の効果を達成し、且つ雄、雌コネクタの互いに突き合わせ接合の結合状態を確保し、互いが緩み、分離することを回避する為、通常、更にその他の組み合わせ構造を設計することにより、相互間の挿入接合性及び連結性を強化し、雄、雌コネクタの接続効果を維持することができる。
【０００３】
しかしながら、従来この種の電気ケーブルに更に提供する組み合わせ構造は、緩み恐れが存在し、そうでなければ、機能の設計において、既存の組み合わせ部材に影響を及ぼし、その外観構造を新たに設計する必要があり、他の型式に適用することができなくなっている。例えば、中華民国第M391748号「導電端子及びコネクタ装置」の実用新案は、フックを利用し、フック孔上に嵌合し、緩みを防止する効果を達成しているが、この構造は、突き合わせ接合後に更に螺合方式で接続する電気ケーブルコネクタ上に適用することができず、或いは、この構造は、螺合する電気コネクタが緩みを発生することを防止することが困難であるので、理想的でない。
【０００４】
これに鑑みて、本考案者は、上記の欠陥を解決する為、研究に専念し、学理の応用を合わせ、ようやく、設計が合理的であり且つ上記欠陥を改善する本考案を提示する。
【考案の概要】
【考案が解決しようとする課題】
【０００５】
本考案の目的は、コネクタの雄、雌端コネクタ以外に嵌合方式で更に二者を突き合わせ接合し、同時に嵌合する部材を用い、互いに螺合するスレッドスリーブ上に跨らせることができ、該スレッドスリーブが行う回転を制限し、雄、雌端コネクタが緩むことを効率的に防止する目的を達成し、某国家のこれらコネクタの緩み防止規範及び要求に適合させることができる電気ケーブルコネクタ突き合わせ接合嵌合構造を提供することにある。
【課題を解決するための手段】
【０００６】
上記の目的を達成する為、本考案が提供する電気ケーブルコネクタ突き合わせ接合嵌合構造は、雄端コネクタと、雌端コネクタと、少なくとも１つの嵌合部材と、を含み、そのうち、雄端コネクタは、雄端本体を有し、雄端本体は、雄端突き合わせ接合部を設け、雄端突き合わせ接合部外周に自由に回転可能なスレッドスリーブを環設し、雌端コネクタが雌端本体を有し、雌端本体に雌端突き合わせ接合部を設け、且つ雌端突き合わせ接合部内に雄端突き合わせ接合部を挿入させる挿入空間を有し、スレッドスリーブは、雌端コネクタ突き合わせ接合部と互いに螺合し、嵌合部材は、雌端コネクタ外側に設ける回転軸部、及び回転軸部上に軸回転可能に設けるフックアームを含み、且つフックアームが雄端本体に向かってスレッドスリーブ上に跨り、雄端コネクタと互いに嵌合する。
【考案の効果】
【０００７】
本考案の電気ケーブルコネクタ突き合わせ接合嵌合構造は、コネクタの雄、雌端コネクタ以外に嵌合方式で更に二者を突き合わせ接合し、同時に嵌合する部材を用い、互いに螺合するスレッドスリーブ上に跨らせることができ、該スレッドスリーブが行う回転を制限し、雄、雌端コネクタが緩むことを効率的に防止する目的を達成し、某国家のこれらコネクタの緩み防止規範及び要求に適合させることができる。
【図面の簡単な説明】
【０００８】
【図１】本考案の第１実施例の立体分解説明図である。
【図２】本考案の第１実施例の立体組み合わせ説明図である。
【図３】本考案の第１実施例の雌端コネクタの立体分解説明図である。
【図４】本考案の第１実施例の組み合わせ断面説明図である。
【図５】本考案の第２実施例の立体分解説明図である。
【図６】本考案の第２実施例の立体組み合わせ説明図である。
【図７】本考案の第２実施例の雌端コネクタの立体分解説明図である。
【図８】本考案の第２実施例の組み合わせ断面説明図である。
【考案を実施するための形態】
【０００９】
本考案の特徴及び技術内容を分かり易くする為、以下に本考案に関する詳細な説明及び図面を参照するが、図面は、参考及び説明用に提供するだけであり、本考案に対し制限を加えることに用いるものではない。
【００１０】
図１及び図２を参照し、それらは、それぞれ本考案の第１実施例の立体分解説明図及び立体組み合わせ説明図である。本考案が提供する電気ケーブルコネクタ結合嵌合構造は、雄端コネクタ１と、雌端コネクタ２と、少なくとも１つの嵌合部材３と、を含む。
【００１１】
そのうち、該雄端コネクタ１は、筒状であることができる雄端本体１０を有し、雄端本体１０前端に雄端突き合わせ接合部１１を突設し、該雄端突き合わせ接合部１１内に複数の雄端端子１１０を設け、各雄端端子１１０は、何れも雄端本体１０末端に延伸し、それぞれ電気ケーブル（図示せず）内の各線芯１１１と電気接続し、且つ本考案が挙げる実施例において、各雄端端子１１０は、雄端突き合わせ接合部１１前端から外へ突出する。また、該雄端突き合わせ接合部１１外周は、更に、自由回転可能なスレッドスリーブ１２を環設し、且つ該スレッドスリーブ１２及び雄端突き合わせ接合部１１間に環状に巻き付く螺合空間１３を形成し、該スレッドスリーブ１２の内壁面上に内螺子部１２０（例えば、内ねじ山）を設け、その外壁面上に、更に、人の手でそれを回転する時に摩擦力を増加できる複数のリブ１２１を突設し、各リブ１２１は、軸方向に沿って該スレッドスリーブ１２の外壁面上に間隔を置いて環状配列できる。
【００１２】
該雌端コネクタ２は、筒状であることができる雌端本体２０を有し、雌端本体２０前端は、雌端突き合わせ接合部２１を突設し、該雌端突き合わせ接合部２１内に中空の挿入空間２２を有し、上記雄端コネクタ１と互いに接続する時、雄端突き合わせ接合部１１を雌端突き合わせ接合部２１の挿入空間２２内に挿入させ、同時に該雌端本体２０内に互いに対応する複数の雌端端子２１０を設け、それぞれ各雄端端子１１０とコネクタの相互突き合わせ接合を行うことができ、且つそれぞれ雌端端子２１０は、何れも雌端本体２０末端まで延伸し、それぞれもう１つの電気ケーブル（図示せず）内の各線芯２１１と電気接続を行い、且つ本考案が挙げる実施例において、各雌端端子２１０は、雌端突き合わせ接合部２１内に埋設する。また、該雌端突き合わせ接合部２１外壁面上に外螺子部２１２（例えば、外螺子山又は図示する螺子ブロック）を設け、雄端突き合わせ接合部１１が雌端突き合わせ接合部２１の挿入空間２２に挿入される時、該雌端突き合わせ接合部２１が上記スレッドスリーブ１２及び雄端突き合わせ接合部１１の間の螺合空間１３内に位置し、雌端突き合わせ接合部２１の外螺子部２１２をスレッドスリーブ１２の内螺子部１２０と互いに螺合させる。又は、更に詳細には、雄端突き合わせ接合部１１が雌端突き合わせ接合部２１の挿入空間２２に挿入される過程において、該スレッドスリーブ１２を介し、その内螺子部１２０を雌端突き合わせ接合部２１の外螺子部２１２と螺合させ、徐々に突き合わせ接合部１１を前記挿入空間２２内に挿入させ、コネクタの相互の突き合わせ接合の作用を達成する。
【００１３】
該嵌合部材３が上記雄、雌端コネクタ１，２が相互の突き合わせ接合の動作を完成することに用いられた後、更に雄、雌端コネクタ１，２の間の外側箇所にフックし、特に、該嵌合部材３が雄端コネクタ１のスレッドスリーブ１２上に跨ることができ、スレッドスリーブ１２が行う回転を制限し、雄、雌端コネクタ１，２の緩みを効率的に防止する目的を達成する。図３を併せて参照し、本実施例において、該嵌合部材３は、雌端コネクタ２外側に設ける回転軸部３０、該回転軸部３０上に軸回転可能に設けるフックアーム３１を含み、且つフックアーム３１は、雄端本体１０へ延伸してスレッドスリーブ１２外壁面上に跨り、該雄端コネクタ１と互いに嵌合する。更に詳細には、図４に示すように、該フックアーム３１がロッド状を呈し、その一端が回転軸部３０と適合する回転軸端３１０を有し、回転軸部材３００により該回転軸部３０及び回転軸端３１０を貫通し、軸回転可能な設置状態を呈し、且つ該フックアーム３１他端がフック部３１１を有し、前記スレッドスリーブ１２上に互いに対応する環溝１２２を凹設し、フックアーム３１のフック部３１１により該環溝１２２上に嵌合させることができる。
【００１４】
提示すべきこととして、該嵌合部材３は、複数の設置であることができるだけでなく、そのフックアーム３１がスレッドスリーブ１２外壁面上に跨る時、スレッドスリーブ１２の任意の２つの隣り合うリブ１２１の間に位置することができ、このように、スレッドスリーブ１２が行う回転を制限する効果を強化することができる。
【００１５】
更に、図５〜図８に示すのは、本考案の第２実施例である。そのうち、該嵌合部材３’の回転軸部３０’は、組み立て方式により雌端コネクタ２外側に設けられ、該フックアーム３１’は、「コ」字型を呈し、その「コ」字型を呈する二側の末端が該回転軸部３０’上に軸回転可能に設けられ、「コ」字型を呈する上端は、弾性支持部３１１’を有し、弾性により該雄端コネクタ１上、該雄端コネクタ１のスレッドスリーブ１２、更には、該スレッドスリーブ１２の環溝１２２に嵌合する。
【００１６】
従って、上記の構造により構成されることにより、本考案の電気ケーブルコネクタ突き合わせ接合嵌合構造を得ることができる。
【００１７】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１８】
１        雄端コネクタ
１０      雄端本体
１１      雄端突き合わせ接合部
１１０    雄端端子
１１１    線芯
１２      スレッドスリーブ
１２０    内螺子部
１２１    リブ
１２２    環溝
１３      螺合空間
２        雌端コネクタ
２０      雌端本体
２１      雌端突き合わせ接合部
２１０    雌端端子
２１１    線芯
２１２    外螺子部
２２      挿入空間
３        嵌合部材
３０      回転軸部
３００    回転軸部材
３１      フックアーム
３１０    回転軸端
３１１    フック部
３’      嵌合部材
３０’    軸回転部
３１’    フックアーム
３１１’  弾性支持部
【図１】
0003176159.tif 000003
【図２】
0003176159.tif 000004
【図３】
0003176159.tif 000005
【図４】
0003176159.tif 000006
【図５】
0003176159.tif 000007
【図６】
0003176159.tif 000008
【図７】
0003176159.tif 000009
【図８】
0003176159.tif 000010